(57)【要約】  本発明は、キッチン用、ボディーシャンプー用、ヘアシャンプー用、洗顔用、クレンジング用、繊維柔軟用、洗濯用、食器洗い用、掃除用又はペットシャンプー用などの合成洗剤を不織布に吸着させた状態で既に設定されたサイズに一枚ずつ取り出したり切り取って使用できるようにする洗剤を含有した不織布ティッシュ及びその製造方法に関し、このための本発明の構成は、ポリプロピレン、プロピレンコポリマー又はポリオレフィンからなるスパンボンド不織布、メルトブローン不織布、スパンボンド及びメルトブローン不織布が多層で構成された不織布又はポリオレフィン系原糸が５０％以上含まれたものからなる不織布に液体の合成洗剤からなる吸着液を吸着させ、前記不織布を既に設定されたサイズに切断し、切断された前記不織布を多数積層したり、前記不織布に既に設定された間隔で切取線を形成し、前記不織布をロール形状にする。このような不織布ティッシュは、多数に包装されたり、又は個包装になり得ると共に、束子、シャワータオル、掃除雑巾又は洗剤泡増進ティッシュなどに活用されることはもちろん、吸着した合成洗剤液とのシナジー効果を達成することができ、これらのシナジー効果により、液体の合成洗剤で増粘剤、ビルダー、泡形成剤、酸性の界面活性剤及び水酸化ナトリウムのうち一つ以上の使用量を減少させたり、これらの使用しないように構成することができる。
2019529004.tif 000002
【特許請求の範囲】
【請求項１】
液体の合成洗剤に濡らされ、グリップ感、表面凹凸、油洗浄力及び洗剤泡増進力を有する包装された不織布ティッシュにおいて、
ポリプロピレン又はプロピレンコポリマーを含むポリオレフィンからなり、１０ｇ／ｍ２〜１５０ｇ／ｍ２のうち一つに秤量した不織布（１）を、液体の合成洗剤又は水に希釈された合成洗剤に濡らし、
前記不織布（１）をピンでパンチングして穿孔したり、エンボスロール又はエンボス板を通じてエンボス加工したり、穿孔及びエンボス加工を同時に行うことによって前記不織布（１）の表面に凹凸を形成し、
前記不織布（１）を既に設定されたサイズに切断し、切断された前記不織布（１）を多数積層したり、
前記不織布（１）に既に設定された間隔で切取線を形成し、前記不織布（１）をロール形状に形成する洗剤を含有した不織布ティッシュ製造方法。
【請求項２】
前記不織布（１）がポリプロピレン又はプロピレンコポリマーを含むポリオレフィン不織布からなる場合、前記不織布（１）はスパンボンド又はメルトブローン不織布に製造し、
前記不織布（１）が、ポリプロピレン又はプロピレンコポリマーを含むポリオレフィン繊維が５０重量部〜１００重量部含まれたものからなる場合、サーマルボンド、スパンレース、エアスルー又はエアレイド不織布に製造することを特徴とする、請求項１に記載の洗剤を含有した不織布ティッシュ製造方法。
【請求項３】
前記不織布（１）の加工時、前記不織布（１）の表面に多数の突起（２）を突出形成し、前記不織布（１）の表面を凹凸に形成すると同時に、多数の前記突起（２）に穴（３）が穿孔されるように、
相互逆方向に回転する第１ローラー（１０）及び第２ローラー（２０）を備えており、前記第１ローラー（１０）には多数の穿孔ピン（１１）を突出形成し、前記第２ローラー（２０）には前記穿孔ピン（１１）に対応する多数のピン溝（２１）を形成することによって、
前記不織布（１）を前記第１ローラー（１０）と第２ローラー（２０）との間に密着・通過させながら、密着・通過時に熱と圧力を加えることを特徴とする、請求項１に記載の洗剤を含有した不織布ティッシュ製造方法。
【請求項４】
前記不織布（１）の加工時、前記不織布（１）の表面がエンボス形状に形成されるように、相互逆方向に回転する第１ローラー（１０）及び第２ローラー（２０）を備えており、前記第１ローラー（１０）には多数のエンボス凹凸（１２）を突出形成し、
前記不織布（１）を前記第１ローラー（１０）と第２ローラー（２０）との間に密着・通過させながら、密着・通過時に熱と圧力を加えることを特徴とする、請求項１に記載の洗剤を含有した不織布ティッシュ製造方法。
【請求項５】
前記不織布（１）の加工時、前記不織布（１）を親水化処理することを特徴とする、請求項１に記載の洗剤を含有した不織布ティッシュ製造方法。
【請求項６】
前記合成洗剤は、キッチン用、ボディーシャンプー用、ヘアシャンプー用、洗顔用、クレンジング用、繊維柔軟用、洗濯用、食器洗い用、掃除用又はペットシャンプー用洗剤であることを特徴とする、請求項１に記載の洗剤を含有した不織布ティッシュ製造方法。
【請求項７】
液体の合成洗剤に濡らされ、グリップ感、表面凹凸、油洗浄力及び洗剤泡増進力を有する包装されたポリオレフィン穿孔不織布ティッシュにおいて、
前記不織布（１）は、ポリプロピレン及びプロピレン共重合物を含むポリオレフィン原料が８０重量部〜１００重量部含まれて押出された後、ノズルを通じて製造された不織布繊維からなるスパンボンド不織布、メルトブローン不織布、スパンボンド及びメルトブローン不織布が多層をなす不織布のうち一つであって、
前記不織布（１）は、１０ｇ／ｍ２〜１５０ｇ／ｍ２のうち一つに秤量し、
前記不織布（１）の穿孔は、穿孔ピンで加圧又は加熱・加圧してパンチングされることによって表面に凹凸を付与し、
前記不織布（１）のパンチング時、穿孔ピン（１１）は、第１ローラー（１０）４ｃｍ２当たりに一つ以上を分布させ、胴体の直径は０．２ｍｍ〜１０ｍｍであって、
前記不織布（１）は既に設定されたサイズに切断し、切断した前記不織布（１）は一枚以上に積層され、
前記合成洗剤は、キッチン用、ボディーシャンプー用、ヘアシャンプー用、洗顔用、クレンジング用、繊維柔軟用、洗濯用、食器洗い用、掃除用及びペットシャンプー用洗剤のうち一つ以上であって、前記不織布（１）の０．１倍〜２０倍の重量を有するものに前記不織布（１）が濡らされ、
液体の前記合成洗剤が濡らされた不織布ティッシュは、個包装又は複数包装になることを特徴とする洗剤を含有した不織布ティッシュ。
【請求項８】
液体の合成洗剤に濡らされ、グリップ感、表面凹凸、油洗浄力及び洗剤泡増進力を有する包装されたポリオレフィンエンボス不織布ティッシュにおいて、
前記不織布（１）は、ポリプロピレン及びプロピレン共重合物を含むポリオレフィンポリマー原料が８０重量部〜１００重量部含まれて押出された後、ノズルを通じて製造された不織布繊維からなるスパンボンド不織布、メルトブローン不織布、スパンボンド及びメルトブローン不織布が多層をなす不織布のうち一つであって、
前記不織布（１）は、１０ｇ／ｍ２〜１５０ｇ／ｍ２のうち一つに秤量し、
前記不織布（１）に凹凸を付与する不織布エンボスは、表面にエンボス凹凸（２）が形成された第１ローラー（１０）と前記第１ローラー（１０）に対応する第２ローラー（２０）との間で加圧又は加熱・加圧したり、エンボス板と前記エンボス板に対応する板との間で加圧又は加熱・加圧することによってエンボス不織布になり、
前記不織布（１）は既に設定されたサイズに切断し、切断された前記不織布（１）は一枚以上に積層され、
前記合成洗剤は、キッチン用、ボディーシャンプー用、ヘアシャンプー用、洗顔用、クレンジング用、繊維柔軟用、洗濯用、食器洗い用、掃除用及びペットシャンプー用洗剤のうち一つ以上であって、前記不織布（１）の０．１倍〜２０倍の重量を有するものに前記不織布（１）が濡らされ、
液体の前記合成洗剤が濡らされた不織布ティッシュは、個包装又は複数包装になることを特徴とする洗剤を含有した不織布ティッシュ。
【請求項９】
液体の合成洗剤に濡らされ、グリップ感、表面凹凸、油洗浄力及び洗剤泡増進力を有する包装された穿孔及びエンボスポリオレフィン不織布ティッシュにおいて、
前記不織布（１）は、ポリプロピレン及びプロピレン共重合物を含むポリオレフィンポリマー原料が８０重量部〜１００重量部含まれて押出された後、ノズルを通じて製造された不織布繊維からなるスパンボンド不織布、メルトブローン不織布、スパンボンド及びメルトブローン不織布が多層をなす不織布のうち一つであって、
前記不織布（１）は、１０ｇ／ｍ２〜１５０ｇ／ｍ２のうち一つに秤量し、
前記不織布（１）の穿孔は、ピンで加圧又は加熱・加圧してパンチングされることによって表面に凹凸を付与し、
前記不織布（１）に凹凸を付与する不織布エンボスは、表面にエンボス凹凸（２）が形成された第１ローラー（１０）と前記第１ローラー（１０）に対応する第２ローラー（２０）との間で加圧又は加熱・加圧したり、エンボス板と前記エンボス板に対応する板との間で加圧又は加熱・加圧し、
前記不織布（１）は既に設定されたサイズに切断し、切断された前記不織布（１）は一枚以上に積層され、
前記合成洗剤は、キッチン用、ボディーシャンプー用、ヘアシャンプー用、洗顔用、クレンジング用、繊維柔軟用、洗濯用、食器洗い用、掃除用及びペットシャンプー用洗剤のうち一つ以上であって、前記不織布（１）の０．１倍〜２０倍の重量を有するものに前記不織布（１）が濡らされ、
液体の前記合成洗剤が濡らされた不織布ティッシュは、個包装又は複数包装になることを特徴とする洗剤を含有した不織布ティッシュ。
【請求項１０】
液体の前記合成洗剤に濡らす前の不織布繊維の表面に親水剤をコーティングしたり、パルプを積層し、前記不織布（１）に吸収性を付与することを特徴とする、請求項７から９のいずれか１項に記載の洗剤を含有した不織布ティッシュ。
【請求項１１】
多数が切断されると同時に積層された前記不織布（１）は、
切断された不織布を折ってサイズを減少させた不織布であったり、
切取線を形成した後、ロール形態に形成した不織布であることを特徴とする、請求項７から９のいずれか１項に記載の洗剤を含有した不織布ティッシュ。
【請求項１２】
前記合成洗剤は、水に希釈された合成洗剤液であることを特徴とする、請求項１１に記載の洗剤を含有した不織布ティッシュ。
【請求項１３】
液体の前記合成洗剤又は前記合成洗剤液には、増粘剤、ビルダー、泡形成剤、酸性の界面活性剤及び水酸化ナトリウムのうち一つ以上が含まれていないことを特徴とする、請求項１２に記載の洗剤を含有した不織布ティッシュ。
【請求項１４】
液体の合成洗剤に濡らされ、グリップ感、表面凹凸、油洗浄力及び洗剤泡増進力を有する包装された不織布ティッシュにおいて、
前記不織布（１）は、ポリプロピレン及びプロピレン共重合物を含むポリオレフィン材料の原糸が５０重量部〜１００重量部含まれたサーマル不織布、スパンレース不織布、エアスルー不織布又はエアレイド不織布であって、
前記不織布（１）は、１０ｇ／ｍ２〜１５０ｇ／ｍ２のうち一つに秤量し、
前記不織布（１）は、ピンで加圧又は加熱・加圧して穿孔することによって表面に凹凸を付与したり、エンボス凹凸（２）が形成された第１ローラー（１０）と前記第１ローラー（１０）に対応する第２ローラー（２０）との間で加圧又は加熱・加圧することによって表面をエンボス加工したり、エンボス板と前記エンボス板に対応する板との間で加圧又は加熱・加圧したり、穿孔及びエンボス加工を同時に行うことによって表面に凹凸を付与し、
前記不織布（１）は既に設定されたサイズに切断し、切断された前記不織布（１）は一枚以上に積層され、
前記合成洗剤は、キッチン用、ボディーシャンプー用、ヘアシャンプー用、洗顔用、クレンジング用、繊維柔軟用、洗濯用、食器洗い用、掃除用及びペットシャンプー用洗剤のうち一つ以上であって、前記不織布（１）の０．１倍〜２０倍の重量を有するものに前記不織布（１）が濡らされ、
液体の前記合成洗剤が濡らされた不織布ティッシュは、個包装又は複数包装になることを特徴とする洗剤を含有した不織布ティッシュ。
【請求項１５】
液体の合成洗剤に濡らされ、グリップ感、表面凹凸、油洗浄力及び洗剤泡増進力を有する包装された不織布ティッシュにおいて、
前記不織布（１）は、ポリプロピレン及びプロピレン共重合物を含むポリオレフィン材料の原糸が５０重量部〜１００重量部含まれたエアスルー不織布又はエアレイド不織布であって、
前記不織布（１）は、１０ｇ／ｍ２〜１５０ｇ／ｍ２のうち一つに秤量し、
前記不織布（１）は既に設定されたサイズに切断し、切断された前記不織布（１）は一枚以上に積層され、
前記合成洗剤は、キッチン用、ボディーシャンプー用、ヘアシャンプー用、洗顔用、クレンジング用、繊維柔軟用、洗濯用、食器洗い用、掃除用及びペットシャンプー用洗剤のうち一つ以上であって、前記不織布（１）の０．１倍〜２０倍の重量を有するものに前記不織布（１）が濡らされ、
液体の前記合成洗剤が濡らされた不織布ティッシュは、個包装又は複数包装になることを特徴とする洗剤を含有した不織布ティッシュ。
【請求項１６】
多数が切断されると同時に積層された前記不織布（１）は、
切断された不織布を折ってサイズを減少させた不織布であったり、
切取線を形成した後、ロール形態に形成した不織布であることを特徴とする、請求項１４又は１５に記載の洗剤を含有した不織布ティッシュ。
【請求項１７】
前記合成洗剤は、水に希釈された合成洗剤液であることを特徴とする、請求項１６に記載の洗剤を含有した不織布ティッシュ。
【請求項１８】
液体の前記合成洗剤又は前記合成洗剤液は、増粘剤、ビルダー、泡形成剤、酸性の界面活性剤及び水酸化ナトリウムのうち一つ以上が含まれていないことを特徴とする、請求項１７に記載の洗剤を含有した不織布ティッシュ。
【請求項１９】
液体の合成洗剤に濡らした後で乾燥された、グリップ感、表面凹凸、油洗浄力及び洗剤泡増進力を有する包装されたポリオレフィン穿孔不織布ティッシュにおいて、
前記不織布（１）は、ポリプロピレン及びプロピレン共重合物を含むポリオレフィン原料が８０重量部〜１００重量部含まれて押出された後、ノズルを通じて製造された不織布繊維からなるスパンボンド不織布、メルトブローン不織布、スパンボンド及びメルトブローン不織布が多層をなす不織布のうち一つであって、
前記不織布（１）は、１０ｇ／ｍ２〜１５０ｇ／ｍ２のうち一つに秤量し、
前記不織布（１）の穿孔は、穿孔ピンで加圧又は加熱・加圧してパンチングされることによって表面に凹凸を付与し、
前記不織布（１）のパンチング時、穿孔ピン（１１）は、第１ローラー（１０）４ｃｍ２当たりに一つ以上を分布させ、胴体の直径は０．２ｍｍ〜１０ｍｍであって、
前記不織布（１）は既に設定されたサイズに切断し、切断された前記不織布（１）は一枚以上に積層され、
前記合成洗剤は、キッチン用、ボディーシャンプー用、ヘアシャンプー用、洗顔用、クレンジング用、繊維柔軟用、洗濯用、食器洗い用、掃除用及びペットシャンプー用洗剤のうち一つ以上であって、前記不織布（１）の０．１倍〜２０倍の重量を有するものに前記不織布（１）が濡らされ、
液体の前記合成洗剤が濡らされた後、１０％〜１００％の乾燥率を達成するように乾燥された不織布ティッシュは、個包装又は複数包装になることを特徴とする洗剤を含有した不織布ティッシュ。
【請求項２０】
液体の合成洗剤に濡らした後で乾燥された、グリップ感、表面凹凸、油洗浄力及び洗剤泡増進力を有する包装されたポリオレフィンエンボス不織布ティッシュにおいて、
前記不織布（１）は、ポリプロピレン及びプロピレン共重合物を含むポリオレフィンポリマー原料が８０重量部〜１００重量部含まれて押出された後、ノズルを通じて製造された不織布繊維からなるスパンボンド不織布、メルトブローン不織布、スパンボンド及びメルトブローン不織布が多層をなす不織布のうち一つであって、
前記不織布（１）は、１０ｇ／ｍ２〜１５０ｇ／ｍ２のうち一つに秤量し、
前記不織布（１）に凹凸を付与する不織布エンボスは、表面にエンボス凹凸（２）が形成された第１ローラー（１０）と前記第１ローラー（１０）に対応する第２ローラー（２０）との間で加圧又は加熱・加圧したり、エンボス板と前記エンボス板に対応する板との間で加圧又は加熱・加圧してエンボス不織布になり、
前記不織布（１）は既に設定されたサイズに切断し、切断された前記不織布（１）は一枚以上に積層され、
前記合成洗剤は、キッチン用、ボディーシャンプー用、ヘアシャンプー用、洗顔用、クレンジング用、繊維柔軟用、洗濯用、食器洗い用、掃除用及びペットシャンプー用洗剤のうち一つ以上であって、前記不織布（１）の０．１倍〜２０倍の重量を有するものに前記不織布（１）が濡らされ、
液体の前記合成洗剤が濡らされた後、１０％〜１００％の乾燥率を達成するように乾燥された不織布ティッシュは、個包装又は複数包装になることを特徴とする洗剤を含有した不織布ティッシュ。
【請求項２１】
液体の合成洗剤に濡らした後で乾燥された、グリップ感、表面凹凸、油洗浄力及び洗剤泡増進力を有する包装された穿孔及びエンボスポリオレフィン不織布ティッシュにおいて、
前記不織布（１）は、ポリプロピレン及びプロピレン共重合物を含むポリオレフィンポリマー原料が８０重量部〜１００重量部含まれて押出された後、ノズルを通じて製造された不織布繊維からなるスパンボンド不織布、メルトブローン不織布、スパンボンド及びメルトブローン不織布が多層をなす不織布のうち一つであって、
前記不織布（１）は、１０ｇ／ｍ２〜１５０ｇ／ｍ２のうち一つに秤量し、
前記不織布（１）の穿孔は、ピンで加圧又は加熱・加圧してパンチングされることによって表面に凹凸を付与し、
前記不織布（１）に凹凸を付与する不織布エンボスは、表面にエンボス凹凸（２）が形成された第１ローラー（１０）と前記第１ローラー（１０）に対応する第２ローラー（２０）との間で加圧又は加熱・加圧したり、エンボス板と前記エンボス板に対応する板との間で加圧又は加熱・加圧し、
前記不織布（１）は既に設定されたサイズに切断し、切断された前記不織布（１）は一枚以上に積層され、
前記合成洗剤は、キッチン用、ボディーシャンプー用、ヘアシャンプー用、洗顔用、クレンジング用、繊維柔軟用、洗濯用、食器洗い用、掃除用及びペットシャンプー用洗剤のうち一つ以上であって、前記不織布（１）の０．１倍〜２０倍の重量を有するものに前記不織布（１）が濡らされ、
液体の前記合成洗剤が濡らされた後、１０％〜１００％の乾燥率を達成するように乾燥された不織布ティッシュは、個包装又は複数包装になることを特徴とする洗剤を含有した不織布ティッシュ。
【請求項２２】
液体の合成洗剤に濡らした後で乾燥された、グリップ感、表面凹凸、油洗浄力及び洗剤泡増進力を有する包装された不織布ティッシュにおいて、
前記不織布（１）は、ポリプロピレン及びプロピレン共重合物を含むポリオレフィン材料の原糸が５０重量部〜１００重量部含まれたサーマル不織布、スパンレース不織布、エアスルー不織布又はエアレイド不織布であって、
前記不織布（１）は、１０ｇ／ｍ２〜１５０ｇ／ｍ２のうち一つに秤量し、
前記不織布（１）は、ピンで加圧又は加熱・加圧して穿孔することによって表面に凹凸を付与したり、エンボス凹凸（２）が形成された第１ローラー（１０）と前記第１ローラー（１０）に対応する第２ローラー（２０）との間で加圧又は加熱・加圧することによって表面をエンボス加工したり、エンボス板と前記エンボス板に対応する板との間で加圧又は加熱・加圧したり、穿孔及びエンボス加工を同時に行うことによって表面に凹凸を付与し、
前記不織布（１）は既に設定されたサイズに切断し、切断された前記不織布（１）は一枚以上に積層され、
前記合成洗剤は、キッチン用、ボディーシャンプー用、ヘアシャンプー用、洗顔用、クレンジング用、繊維柔軟用、洗濯用、食器洗い用、掃除用及びペットシャンプー用洗剤のうち一つ以上であって、前記不織布（１）の０．１倍〜２０倍の重量を有するものに前記不織布（１）が濡らされ、
液体の前記合成洗剤が濡らされた後、１０％〜１００％の乾燥率を達成するように乾燥された不織布ティッシュは、個包装又は複数包装になることを特徴とする洗剤を含有した不織布ティッシュ。
【請求項２３】
液体の合成洗剤に濡らした後で乾燥された、グリップ感、表面凹凸、油洗浄力及び洗剤泡増進力を有する包装された不織布ティッシュにおいて、
前記不織布（１）は、ポリプロピレン及びプロピレン共重合物を含むポリオレフィン材料の原糸が５０重量部〜１００重量部含まれたエアスルー不織布又はエアレイド不織布であって、
前記不織布（１）は、１０ｇ／ｍ２〜１５０ｇ／ｍ２のうち一つに秤量し、
前記不織布（１）は既に設定されたサイズに切断し、切断された前記不織布（１）は一枚以上に積層され、
前記合成洗剤は、キッチン用、ボディーシャンプー用、ヘアシャンプー用、洗顔用、クレンジング用、繊維柔軟用、洗濯用、食器洗い用、掃除用及びペットシャンプー用洗剤のうち一つ以上であって、前記不織布（１）の０．１倍〜２０倍の重量を有するものに前記不織布（１）が濡らされ、
液体の前記合成洗剤が濡らされた後、１０％〜１００％の乾燥率を達成するように乾燥された不織布ティッシュは、個包装又は複数包装になることを特徴とする洗剤を含有した不織布ティッシュ。
【請求項２４】
液体の前記合成洗剤又は前記合成洗剤液は、増粘剤、ビルダー、泡形成剤、酸性の界面活性剤及び水酸化ナトリウムのうち一つ以上が含まれていないことを特徴とする、請求項１９から２３のいずれか１項に記載の洗剤を含有した不織布ティッシュ。
【発明の詳細な説明】
【技術分野】
【０００１】
本発明は、洗剤を含有した不織布ティッシュ及びその製造方法に関し、具体的には、キッチン用、ボディーシャンプー用、ヘアシャンプー用、洗顔用、クレンジング用、繊維柔軟用、洗濯用、食器洗い用、掃除用又はペットシャンプー用などの合成洗剤を不織布に吸着させた状態で既に設定されたサイズに一枚ずつ取り出したり切り取って使用できるようにする洗剤を含有した不織布ティッシュ及びその製造方法に関する。
【背景技術】
【０００２】
一般に、多様な汚染物質を拭き取るときに使用されるティッシュは、多数が上下方向に積層された状態でケースの内部に保存され、ユーザーがケースの上面に形成された引出口を介してティッシュを一枚ずつ取り出して使用できるように構成されており、このティッシュは個包装になって使用されてもよい。
【０００３】
このようなウェットティッシュは、水をうまく吸収させなければならなく、水分が飛散しないように維持させなければならないが、使用の便宜上、化粧を落とすクレンジングティッシュ、掃除用棒に取り付けたり手で拭き取ることができ、濡れ雑巾としての役割をする掃除用ウェットティッシュ、又は風呂に入ることが煩わしい患者等の体を拭くための患者用ウェットティッシュなどのように、その用途に応じて多様に活用できるように製作及び販売されている。
【０００４】
しかし、多様な活用を追及するための適用において、ウェットティッシュのように、使い捨て用として使用可能なキッチン用、ボディーシャンプー用、ヘアシャンプー用、洗顔用、クレンジング用、繊維柔軟用、洗濯用、食器洗い用、掃除用又はペットシャンプー用ティッシュは開発することが難しかった。また、このようなティッシュは、良好なグリップ感及び優れた洗浄力を有すると同時に、洗剤泡の発生効率を高めるには限界を有していた。
【０００５】
そして、従来の合成洗剤の製造において、液体の合成洗剤及び粉末の合成洗剤がその機能を発揮するためには、液体の合成洗剤及び粉末の合成洗剤の化学的組成物にのみ全的に依存している実情にあるが、この場合、増粘剤、ビルダー、酸性の界面活性剤又は水酸化ナトリウムなどの化学的添加物の添加が不可避であった。
【０００６】
特に、従来の合成洗剤においては、上述した化学的添加物の添加を物理的に減少させたり、上述した化学的添加物を添加しないように構成することに限界があり、さらに、ティッシュを液体の合成洗剤と共に使用できるようにしながら、上述した化学的添加物の添加を減少させたり、上述した化学的添加物を添加しないように構成することは難しかった。
【発明の概要】
【発明が解決しようとする課題】
【０００７】
本発明は、上述した従来の問題を解決するためになされたものであって、従来のウェットティッシュの生地であるスパンレース不織布（ポリエステル繊維５０％及びレーヨン繊維５０％からなる）を合成洗剤液に濡らして手で掴んだとき、不織布が縮まることによってグリップ感が低下していた問題を解決するために、合成洗剤液に濡らして手で掴んだときにも縮まる変形が著しく減少し、優れたグリップ感を有する洗剤を含有した不織布ティッシュを提供することを目的とする。
【０００８】
そして、水の吸収性は不十分であるが、液体の合成洗剤の場合に優れた吸着力を有する洗剤を含有した不織布ティッシュを提供することを他の目的とする。
【０００９】
また、合成洗剤に添加される増粘剤、ビルダー、酸性の界面活性剤、泡増進剤又は水酸化ナトリウムなどの環境にやさしくない化学的添加物の添加を減少させたり、環境にやさしくない化学的添加物を添加しないように構成する洗剤を含有した不織布ティッシュを提供することを更に他の目的とする。
【００１０】
併せて、道具の側面で接近し、合成洗剤液の洗浄力を補強することはもちろん、合成洗剤液の泡を増加させるにおいて物理的な方法での接近が可能な洗剤を含有した不織布ティッシュを提供することを更に他の目的とする。
【００１１】
結果的に、不織布にキッチン用、ボディーシャンプー用、ヘアシャンプー用、洗顔用、クレンジング用、繊維柔軟用、洗濯用、食器洗い用、掃除用又はペットシャンプー用などの合成洗剤を吸着させ、使い捨て用として一枚ずつ取り出したり切り取って使用できるようにし、このようなティッシュが良好なグリップ感及び優れた洗浄力を有すると同時に、洗剤泡の発生効率を高めながら表面凹凸を付与することが本発明の目的である。
【課題を解決するための手段】
【００１２】
前記目的を達成するための本発明に係る洗剤を含有した不織布ティッシュ製造方法の特徴的な構成は、ポリプロピレン、プロピレンコポリマー又はポリオレフィンからなる不織布と、ポリオレフィン原糸が５０％以上含まれた不織布を穿孔又はエンボス加工することによって凹凸を形成し、前記不織布を、液体の合成洗剤又は合成洗剤を水に希釈させたものに濡らし、前記不織布を既に設定されたサイズに切断し、切断された前記不織布を一つ以上積層したり、前記不織布に既に設定された間隔で切取線を形成し、前記不織布をロール形状に形成することにある。
【００１３】
前記不織布がポリプロピレン、プロピレンコポリマー又はポリオレフィンポリマーからなる場合、前記不織布は、スパンボンド又はメルトブローン不織布に製造したり、又はスパンボンドとメルトブローンとが多層をなした不織布に製造し、前記不織布が、ポリオレフィン系原糸が５０％以上含まれたものからなる場合、サーマルボンド、スパンレース、エアスルー又はエアレイド不織布に製造したり、前記不織布の表面にパルプをコーティングして製造することができる。
【００１４】
前記不織布の加工時、前記不織布の表面に多数の突起を突出形成し、前記不織布の表面を凹凸に形成すると同時に、多数の前記突起に穴が穿孔されるように、相互逆方向に回転する第１ローラー及び第２ローラーを備えており、前記第１ローラーには多数の穿孔ピンを突出形成し、前記第２ローラーには前記穿孔ピンに対応する多数のピン溝を形成することによって、前記不織布を前記第１ローラーと第２ローラーとの間に密着・通過させながら、密着・通過時に熱と圧力を加えることができる。
【００１５】
前記不織布の加工時、前記不織布の表面がエンボス形状に形成されるように、相互逆方向に回転する第１ローラー及び第２ローラーを備えており、前記第１ローラーには多数のエンボス凹凸を突出形成し、前記不織布を前記第１ローラーと第２ローラーとの間に密着・通過させながら、密着・通過時に熱と圧力を加えることができる。
【００１６】
前記不織布の加工時、前記不織布を親水化処理することができる。
【００１７】
前記のように穿孔又はエンボス加工されたり、これらが同時に行われた表面凹凸を有する不織布は、自体的に油及び染みの洗浄力を有するようになり、この洗浄力は、合成洗剤の洗浄力とのシナジー効果を達成する。これを通じて、合成洗剤の添加物中の増粘剤、ビルダー、酸性の界面活性剤、泡増進剤又は水酸化ナトリウムなどのように、環境にやさしくないと同時に人体の皮膚に有害であり得る化学的添加物の添加を減少させたり、化学的添加物を添加しないように構成することができる。
【００１８】
前記合成洗剤は、キッチン用、ボディーシャンプー用、ヘアシャンプー用、洗顔用、クレンジング用、繊維柔軟用、洗濯用、食器洗い用、掃除用又はペットシャンプー用洗剤であり得る。
【００１９】
上述した方法により、複数包装又は個包装になった不織布ティッシュを製造することができる。
【発明の効果】
【００２０】
上述した本発明の構成によると、不織布にキッチン用、ボディーシャンプー用、ヘアシャンプー用、洗顔用、クレンジング用、繊維柔軟用、洗濯用、食器洗い用、掃除用又はペットシャンプー用などの合成洗剤を吸着させ、使い捨て用として一枚ずつ取り出したり切り取って使用できるようになり、その結果、ティッシュ使用の便宜性が増大することはもちろん、使用範囲も拡大され得る。
【００２１】
このような不織布ティッシュは、ポリプロピレン、プロピレンコポリマー、ポリオレフィン又はポリオレフィン原糸が５０％以上含まれたものからなり、その結果、水の吸収力が低いので、水に濡らした後で圧縮させたとしても、その形状が復元されることによって優れたグリップ感を維持することができ、油の吸油力が高いので、使用時に油分が生活下水に放出されることを最小化することによって環境にやさしいという長所を有する。
【００２２】
そして、不織布の表面に多数の突起を形成すると同時に、これらの突起に穴を穿孔したり、不織布の表面がエンボス形状に形成されるように構成することによって、不織布ティッシュが優れたグリップ感を有することはもちろん、吸着した合成洗剤との摩擦時に洗剤泡の発生効率を高められるようになり、その結果、洗浄力が増大すると共に、河川などへの流出時の分解速度を高めることができ、人体にも有害でないティッシュを具現できるようになる。
【００２３】
特に、不織布の表面に多数の突起及び穴を形成することによって、不織布の密度を大幅に減少させ、不織布の表面に空隙が増大するにつれて、合成洗剤との摩擦時に洗剤泡の発生効率を極大化することができ、不織布ティッシュのグリップ感も優秀になり得る。
【００２４】
さらに、上述した洗剤泡の発生効率が増大するにつれて、合成洗剤の製造のために通常的に使用される泡増進剤又はビルダーの添加が減少したり、これらの添加が必要でなくなり、合成洗剤を直接使用するのではなく、合成洗剤が吸着したティッシュを使用することにより、増粘剤、ビルダー、酸性の界面活性剤、泡増進剤又は水酸化ナトリウムなどの人体の皮膚に有害であり得る添加物の添加量を減少させたり、これらの添加物の添加を必要としなくなり、その結果、人体に有害でないと同時に、環境にやさしい不織布ティッシュを製造できるようになる。
【００２５】
さらに、表面が穿孔又はエンボス加工されたり、これらが同時に行われた表面凹凸を有する不織布は、自体的に油及び染みの洗浄力を有するようになり、この洗浄力は合成洗剤の洗浄力とのシナジー効果を達成し、これを通じて、合成洗剤の添加物中の増粘剤、ビルダー、酸性の界面活性剤、泡増進剤又は水酸化ナトリウムなどのように、環境にやさしくないと同時に、人体の皮膚に有害であり得る化学的添加物の添加を減少させたり、これらの化学的添加物を添加しないように構成することができる。
【図面の簡単な説明】
【００２６】
【図１】本発明に係る洗剤を含有した不織布ティッシュを製造する過程を概略的に示した図である。
【図２】本発明に係る洗剤を含有した不織布ティッシュにおける不織布の表面に突起及び穴を形成する過程を説明するために概略的に示した断面図である。
【図３】本発明に係る洗剤を含有した不織布ティッシュにおける不織布の表面を概略的に示した断面図である。
【図４】本発明によって製造され、多数の突起及び穴が形成された洗剤を含有した不織布ティッシュの底面（ａ）及び表面（ｂ）を撮影した写真である。
【図５】本発明に係る洗剤を含有した不織布ティッシュにおける不織布の表面をエンボス形状に形成する過程を説明するために概略的に示した断面図である。
【図６】本発明によって製造され、エンボス形状に形成される不織布ティッシュの表面を撮影した写真である。
【図７】本発明に洗剤を含有した不織布ティッシュの優れたグリップ感を説明するために、１０秒間水及び台所洗剤液にそれぞれ浸した後、２秒間圧縮させながら水及び台所洗剤液を絞り出した後で撮影した本発明に係る洗剤を含有した不織布ティッシュ（ａ）及び従来のウェットティッシュ（ｂ）を撮影した写真である。
【図８】従来のキッチン用洗剤組成物を示した写真である。
【図９】本発明によって製造された洗剤を含有した不織布ティッシュの使用状態を撮影した写真である。
【図１０】本発明によって製造された洗剤を含有した不織布ティッシュを撮影した写真である。
【図１１】本発明によって製造され、切断せずに折った状態の洗剤を含有した不織布ティッシュを撮影した写真である。
【図１２】本発明によって製造された洗剤を含有した不織布ティッシュにおいて水を吸収していない状態で水滴が付く表面を説明するために撮影した写真である。
【発明を実施するための形態】
【００２７】
本発明に係る洗剤を含有した不織布ティッシュ製造方法は、ポリプロピレン、プロピレンコポリマー又はポリオレフィンからなる不織布と、ポリオレフィン原糸が５０％以上含まれた不織布を穿孔又はエンボス加工することによって凹凸を形成し、前記不織布を、液体の合成洗剤又は合成洗剤を水に希釈させたものに濡らした後、前記不織布を既に設定されたサイズに切断し、切断された前記不織布を１個以上積層したり、前記不織布に既に設定された間隔で切取線を形成し、前記不織布をロール形状に形成する。
【００２８】
以下では、添付の図面を参照して説明した本発明の目的を具現するための好適な実施構成及びこれらの構成による作用関係に対して説明し、従来と同一の技術構成及び同一の範疇にある技術構成に対する詳細な説明は省略する。
【００２９】
本発明は、キッチン用、ボディーシャンプー用、ヘアシャンプー用、洗顔用、クレンジング用、繊維柔軟用、洗濯用、食器洗い用、掃除用又はペットシャンプー用などの合成洗剤を不織布に吸着させた状態で既に設定されたサイズに一枚ずつ取り出したり切り取って使用できるようにする洗剤を含有した不織布ティッシュ及びその製造方法に関する。
【００３０】
このための本発明の構成は、ポリプロピレン、プロピレンコポリマー又はポリオレフィンからなるスパンボンド及びメルトブローン不織布、ポリオレフィン系原糸が５０重量部以上含まれた不織布に合成洗剤を水に希釈させた吸着液を吸着させ、不織布を既に設定されたサイズに切断し、切断された不織布を多数積層したり、不織布に既に設定された間隔で切取線を形成し、不織布をロール形状に形成する。
【００３１】
本発明において、ポリオレフィン系ポリマーは、無極性モノマーを重合したポリマー及び無極性モノマーが主材料であって、これに極性モノマーと共に重合したコポリマーも含み、無極性モノマーの例として、プロピレン、エチレン又はブタジエンなどがあり、ポリプロピレン、プロピレンコポリマーもポリオレフィン系ポリマーに属する。
【００３２】
例えば、本発明の不織布は、ポリプロピレン又はプロピレンコポリマーが８０％〜１００％含まれた構成からなることができ、この場合、スパンボンド又はメルトブローン不織布に製造され得る。
【００３３】
このようにポリプロピンレン又はプロピレンコポリマーからなって製造された不織布は、図１２に示すように、水に不十分に濡らされることはあるが、短い時間に水分が乾燥されることはもちろん、ウェットティッシュとして使用される程度に水分を吸収することはできない。
【００３４】
そして、ポリプロピンレン又はプロピレンコポリマーが８０重量部〜１００重量部含まれたポリオレフィン系ポリマーからなって製造された不織布は、親油性不織布及び親水性不織布も含み、親水化処理していないポリプロピレン不織布は親油性不織布であって、この不織布は、原油や天然ガスから出た石油化学製品であるので、原料自体からの吸収性がほとんどなく、吸油力は非常に強い。
【００３５】
また、ポリプロピレン及びプロピレンコポリマー系列の原料は、分子構造から無極性であるので、基本的に吸収性がないものであって、水に濡らした後で圧縮させたとしても、その形状が復元されることによって優れたグリップ感を維持することができ、吸油力が高いので、使用時に油分が生活下水に放出されることを最小化することによって環境にやさしいという長所を有する。
【００３６】
これに関する実例として、図１２に示すように、親水化処理されていない不織布に水滴及び油滴を２０ｃｍの高さから落としたとき、不織布の表面に水滴が付くが、油滴は付かないことを確認することができ、これは、本発明によって製造された不織布において、吸収性が著しく低下し、吸油性は非常に高いことを意味する。
【００３７】
そして、本発明によって製造された不織布ティッシュを１０秒間水に浸し、２秒間圧縮させながら水を絞り出した後にも、図７に示すように、その形状は原型の５０％〜１００％に復元されることを確認することができた。
【００３８】
併せて、上述したポリプロピレン、プロピレンコポリマー又はポリオレフィン系ポリマーからなって製造された不織布は、図１２に示すように、水は吸収できないとしても、通常の界面活性剤が主原料である液体の合成洗剤は吸着するものであって、これは、後述する実験例７及び実験例８の結果から確認することができた。
【００３９】
このような不織布ティッシュの不十分な吸収性を補強するために、不織布の加工時に不織布を親水化処理することができる。
【００４０】
このように不織布の吸収性を補強する方法としては、吸収性を補強する親水剤をポリプロピレン又はプロピレンコポリマー原料に混ぜる方法、不織布の表面に親水剤を噴射して乾燥・コーティングさせる方法、又は親水剤に不織布を浸した後、熱ローラーで乾燥させる方法などが適用され得る。
【００４１】
そして、不織布の親水性を補強する他の方法としては、不織布の表面に吸収性素材が付着した不織布をさらに含むことができ、このとき、吸収性素材としては、パルプ又はレーヨン糸などがあり、この吸収性素材を不織布の表面にコーティング又は積層することができる。
【００４２】
一方、ポリプロピレン又はプロピレンコポリマーが８０％以上含まれた構成からなる不織布は、スパンボンド又はメルトブローン不織布に製造され得るが、このとき、ペレット状態の上述した原料を押出機で溶かし、約３デニール（Ｄｅｎｉｅｒ）未満の厚さの繊維をノズルを通じてファンベルトに紡糸させ、これをロールで圧着することによって不織布を製造する。
【００４３】
ここで、上述した押出機が１台以上であると、１台以上の押出機から不織布繊維を紡糸しながらスパンボンド不織布、メルトブローン不織布、スパンボンド及びメルトブローンが多層を形成した不織布を製造することができる。
【００４４】
そして、メルトブローン不織布は、繊維の太さがスパンボンドより薄く、組織が緻密であることを特徴とし、上述したスパンボンド不織布及びメルトブローン不織布が多層からなる不織布も製造されている。
【００４５】
併せて、本発明の不織布は、ポリオレフィン系繊維が５０％〜１００％含まれた構成からなることができ、この場合、サーマルボンド、スパンレース、エアスルー又はエアレイド不織布に製造され得る。
【００４６】
上述したポリオレフィン系繊維としては、主にポリプロピレン不織布繊維が使用されており、その他の不織布繊維としては、ポリエステル繊維、レーヨン繊維又はバイコンポーネント繊維が使用される。
【００４７】
ここで、サーマルボンドで不織布を製造する方法では、綿のような繊維を解きほぐしてロールで圧着することによって不織布を製造する。
【００４８】
そして、従来のウェットティッシュの生地であるスパンレース不織布に製作するときは、水圧で各繊維を結合することによって不織布を製造することができる。
【００４９】
また、エアスルー不織布を製造する方法では、綿のような原糸を解きほぐした後、熱風で繊維を結合することによって不織布を製造する。
【００５０】
併せて、エアレイド不織布は、熱風及び接着剤を使用して不織布繊維を結合する。
【００５１】
上述したエアスルー不織布及びエアレイド不織布は、熱風及び接着剤による不織布の製造で厚さ感及び基本凹凸を有しているので、後述する不織布の穿孔やエンボスが形成されないとしても本発明の不織布ティッシュと同一又は類似する使用が可能である。
【００５２】
すなわち、エアレイド不織布も、エアスルー不織布と同様に、厚さ感及びグリップ感に優れており、このようにグリップ感に優れたエアスルー又はエアレイド不織布は、その表面に後述する突起２及び穴３又はエンボスを形成していない状態で、液体の合成洗剤又は合成洗剤を水に希釈させた吸着液に濡らすことによって本発明の不織布ティッシュに製造することができる。
【００５３】
一方、本発明の合成洗剤は、スルホン酸塩（Ｓｕｌｆｏｎａｔｅ）系統の界面活性剤、線形アルキルベンゼンスルホン酸塩（ＬＡＳ）、アルファオレフィンスルホン酸塩（ＡＯＳ）、又はその他の界面活性剤などの界面活性剤が主原料である、キッチン用、ボディーシャンプー用、ヘアシャンプー用、洗顔用、クレンジング用、繊維柔軟用、洗濯用、食器洗い用、掃除用又はペットシャンプー用などの洗剤であって、このような合成洗剤を吸着させて使い捨て用として一枚ずつ取り出したり切り取って使用できるようになり、その結果、ティッシュ使用の便宜性が増大することはもちろん、使用範囲も拡大され得る。
【００５４】
そして、上述した合成洗剤を不織布に吸着させる方法としては、不織布を合成洗剤に一定時間浸した後で取り出す方法、不織布に合成洗剤を噴射する方法、ティッシュが積層・包装されたケースの内側に合成洗剤を一定量だけ投入する方法、又はその他の方法などがあり、合成洗剤をなす界面活性剤の濃度に応じて、投入又は噴射する合成洗剤の量が調節可能であると言える。
【００５５】
このような合成洗剤液は、その投入量が不織布の０．１倍〜２０倍の重量を有するように調節しながら不織布を濡らすことができる。
【００５６】
また、上述した合成洗剤は、油を拭き取る機能を有しており、分子構造上、親水性及び親油性を含んでおり、水にもうまく分散され、油も洗浄する両面性を有しているが、互いに混ざらない水と油は、洗剤を入れると混じるようになる。
【００５７】
併せて、本発明の不織布１は、図１〜図４に示したように、加工時に不織布１の表面に多数の突起２を突出形成し、不織布１の表面を凹凸に形成すると同時に、多数の突起２に穴３が穿孔されるように、相互逆方向に回転する第１ローラー１０及び第２ローラー２０を備えており、第１ローラー１０には多数の穿孔ピン１１を突出形成し、第２ローラー２０には穿孔ピン１１に対応する多数のピン溝２１を形成することによって、不織布１を第１ローラー１０と第２ローラー２０との間に密着・通過させながら、密着・通過時に熱と圧力を加えることができる。
【００５８】
ここで、上述した穿孔ピン１１は、第１ローラー１０の外側面に、不織布１を加圧して突起２を形成できる程度の直径及び長さを有する胴体を突出形成し、不織布１をさらに加圧することによって、穴３を形成できる程度に尖った形状をなす端部が胴体からさらに突出して第１ローラー１０に備えられる。
【００５９】
このように、穿孔ピン１１により、形成された各突起２及び各穴３は不織布の表面の１ｃｍ２当たりに１個以上形成されることが好ましく、少なくとも４ｃｍ２当たりに１個以上の形成は確保可能でなければならない。
【００６０】
このとき、穿孔ピン１１の胴体は、０．２ｍｍ〜１０ｍｍの直径を有することができ、棒形状に形成されてもよい。また、上述した第２ローラー２０は通常のクッションなどの材質からなってもよく、このような第１ローラー１０と第２ローラー２０は互いに対応する板形状に形成されてもよい。
【００６１】
そして、図１、図５及び図６に示すように、不織布１の加工時、不織布１の表面がエンボス形状に形成されるように、相互逆方向に回転する第１ローラー１０及び第２ローラー２０を備えており、第１ローラー１０には多数のエンボス凹凸１２を突出形成し、不織布１を第１ローラー１０と第２ローラー２０との間に密着・通過させながら、密着・通過時に熱と圧力を加えることができ、ここで、第１ローラー１０及び第２ローラー２０は板の形態に取替え可能である。
【００６２】
これを通じて、不織布１の表面に多数の突起２を形成すると同時に、これらの突起２に穴３を穿孔したり、不織布１の表面がエンボス形状に形成されるように構成することによって、不織布ティッシュが優れたグリップ感を有することはもちろん、吸着した合成洗剤との摩擦時、洗剤泡の発生効率を高められるようになり、その結果、洗浄力が増大すると共に、河川などへの流出時に分解速度を高めることができ、人体にも有害でないティッシュを具現できるようになる。
【００６３】
特に、不織布１の表面に多数の突起２及び穴３を形成することによって、不織布１の密度を大幅に減少させ、不織布１の表面に空隙が増大するにつれて、合成洗剤との摩擦時に洗剤泡の発生効率を極大化することができ、不織布ティッシュのグリップ感も優秀になり得る。
【００６４】
さらに、上述した洗剤泡の発生効率が増大するにつれて、合成洗剤の製造において通常的に使用される泡増進剤又はビルダーなどの添加が必要でなくなり、合成洗剤を直接使用するのではなく、合成洗剤が吸着したティッシュを使用することにより、増粘剤の添加も必要でなくなることによって、人体に有害でないと同時に、環境にやさしい不織布ティッシュを製造できるようになる。
【００６５】
以下、本発明に係る洗剤を含有した不織布ティッシュを製造する方法に対して説明する。
【００６６】
図１に示したように、投入された不織布の生地には、上述した液体の合成洗剤又は合成洗剤を水に希釈させた吸着液を噴射・デイッピングしたり、又はその他の方法で吸着させ、横方向に折り、縦方向にカッティングすることによって市販される形態に包装したり、折られた状態で袋に一枚以上入り込まれた本発明の不織布に一定量の液体合成洗剤を投入し、袋をシーリングして包装することができる。
【００６７】
また、既に設定された間隔で切取線を形成したロール形状の不織布が入り込まれた袋に一定量の液体合成洗剤を投入して包装することができ、その他の多様な方法で本発明の不織布ティッシュを包装することができる。
【００６８】
通常、約１８５ｍｍ〜３００ｍｍの幅の生地を両側でＶ字と類似する形状の板に通過させながら左側と右側で２回折り、生地の幅が約１００ｍｍ〜１８０ｍｍ程度になるように幅を減少させる。
【００６９】
このように両側で折って包装するとき、ティッシュの使用時にティッシュ一枚を取り出すと次のティッシュ一枚が付いて出るようになり、図１１に示すように、縦方向は、１５０ｍｍ〜２５０ｍｍにカッティングし、必要に応じて３００ｍｍにカッティングしてもよく、３００ｍｍにカッティングされたものを半分に折って１５０ｍｍに製造してもよい。
【００７０】
併せて、不織布を折る紙折り機で不織布を両方向で折って切断した後、不織布のサイズを減少させて使用してもよく、このように本発明の不織布ティッシュを折ってサイズを減少させることによって、包装のサイズも減少させ、使用の便宜性を確保することができる。
【００７１】
包装時には、不織布ティッシュ引出口に１次的にステッカー型の水分遮断包装を行い、２次的に蓋を有するプラスチック射出物を接着剤で包装フィルムに付着することが一般的であるが、ポリプロピレン、プロピレンコポリマー又はポリオレフィンからなる不織布は、保湿性が既存のウェットティッシュよりは劣るので、２次的に蓋を有する包装形態であることが好ましい。
【００７２】
一方、本発明に係るポリプロピレン、プロピレンコポリマー又はポリオレフィンからなる不織布は、水分維持力が不足しており、既存のウェットティッシュのように、使用時に水分を維持させにくいが、本発明に係る不織布ティッシュは、水と共に使用する製品として使用するとき、ある程度の水分が蒸発していても問題にならない。
【００７３】
すなわち、ポリプロピレン、プロピレンコポリマー又はポリオレフィンからなる不織布に、合成洗剤が希釈された吸着液が吸着することによって、これから製作された不織布ティッシュは、使用時に再び水に濡らされるので、最初に製作されたティッシュから水分がある程度蒸発したとしても使用上の不便さがない。
【００７４】
そして、上述した吸着液の製造において、キッチン用、ボディーシャンプー用、ヘアシャンプー用、洗顔用、クレンジング用、繊維柔軟用、洗濯用、食器洗い用、掃除用又はペットシャンプー用などの洗剤を直接使用したり、これらを水に混合して希釈させることができる。
【００７５】
一般に、合成洗剤及び合成洗剤の主原料である界面活性剤は、既に水に希釈されている状態で製作される。
【００７６】
また、本発明に係る不織布ティッシュは、洗浄過程で泡が容易に発生することにもその特徴を有するが、これは、不織布ティッシュに吸着した合成洗剤が不織布ティッシュに効率的に分散されたことを意味すると同時に、効果的な洗浄を行えることを示すものであって、洗浄がうまく行われていることをユーザーが認知できるようにする。
【００７７】
一方、本発明の不織布ティッシュは、合成洗剤に濡らされないとしても、油吸着力が強いのである程度の油洗浄力を有しているが、このような不織布ティッシュの自体的な洗浄力を通じて、不織布ティッシュが食器洗い、人体の皮膚洗浄、油洗浄及びその他の洗浄時に有用に適用され得る。
【００７８】
そして、本発明の不織布ティッシュは、不織布繊維の太さが極細糸に属し、表面凹凸を有しており、皮膚洗浄時に皮膚のしわの中まで洗浄が可能であり、洗浄時の密着性が良いだけでなく、染みなどの除去効率に優れる。
【００７９】
また、本発明の不織布ティッシュを水と摩擦させるときは、各不織布繊維の間に空間があり、表面凹凸を有しているので、液体合成洗剤の泡形成を増進させる。
【００８０】
併せて、本発明の不織布ティッシュは、合成洗剤液が濡らされないとしても、通常の束子、シャワータオル、掃除雑巾、洗剤泡形成、油洗浄、油吸着機能を維持できるが、これを通じて、合成洗剤液と不織布ティッシュとがシナジー効果を達成することができる。
【００８１】
併せて、本発明の不織布は、その重量の０．１倍〜２０倍の重量を有する合成洗剤液に濡らすことができ、これによる合成洗剤の量は、界面活性剤の濃度や機能に応じて適宜調節され得る。
【００８２】
このように製造された本発明の不織布ティッシュは、キッチン用洗剤液に濡らす場合は、食器洗い、果物及び野菜洗浄などに使用することができ、掃除用洗剤液に濡らす場合は、自動車、浴室、ガスレンジなどの掃除に適用できるようになる。
【００８３】
このように、本発明では合成洗剤を使用するが、天然洗剤は、本発明のポリプロピレン不織布への吸着力が弱いので、天然洗剤を本発明のティッシュに使用する場合、積層されたティッシュにおいて天然洗剤が沈み込む性質が強くて使用しにくく、多量のティッシュを一度に積層しにくい。
【００８４】
これと関連する実例として、本発明の穿孔親水化処理されていないポリプロピレン不織布を、ベーキングソーダが１０％希釈された天然洗剤にデイッピングした結果、天然洗剤を吸収していないことを確認することができた。
【００８５】
このような天然洗剤としては、通常のクエン酸、ベーキングソーダ又は過炭酸ソーダなどがあり、天然洗剤を除いたほとんどは合成洗剤であり、合成洗剤の主要原料は界面活性剤である。
【００８６】
ここで、界面活性剤としては、スルホン酸塩（Ｓｕｌｆｏｎａｔｅ）系統の界面活性剤、ＬＡＳ（ｌｉｎｅａｒ  ａｌｋｙｌｂｅｎｚｅｎｅ  Ｓｕｌｆｏｎａｔｅ）、アルファオレフィンスルホン酸塩（ＡＯＳ）、アルコールポリオキシエチレンエーテル（ＡＥ）及びその他の界面活性剤がある。
【００８７】
その他にも多様な種類の界面活性剤が開発されており、皮膚にやさしく、自然環境で分解されやすくする界面活性剤が開発中である。
【００８８】
このように、合成洗剤は、界面活性剤が主原料であって、増粘剤、香料、皮膚保護物質、ビルダー、消泡剤、泡形成剤、エタノール、精製水又はその他の物質などを混合して製造され、洗濯用洗剤の場合、蛍光増白剤、酸素漂白剤なども添加され得る。また、液体の界面活性剤及び合成洗剤は、製造時に既に水に希釈されて製造されることが一般的である。
【００８９】
このように合成洗剤に使用される界面活性剤は非常に多様であり、例えば、韓国の味元化学（株）及び味元通商（株）で掲示したことがある、アルキルスルホン酸塩（ａｌｋｙｌ  ｓｕｌｆａｔｅｓ）、アルキルエーテルスルホン酸塩（ａｌｋｙｌ  ｅｔｈｅｒ  ｓｕｌｆａｔｅｓ）などのスルホン酸塩（ｓｕｌｆａｔｅｓ）系統の界面活性剤、アミノ酸誘導体（ａｍｉｎｏ  ａｃｉｄ  ｄｅｒｉｖａｔｉｖｅｓ）、スルホコハク酸（ｓｕｌｆｏｓｕｃｃｉｎａｔｅｓ）、リン酸アルキル（ａｌｋｙｌ  ｐｈｏｓｐｈａｔｅｓ）、アミノアミン（ａｍｉｎｏ  ａｍｉｎｅｓ）、 脂肪酸エステル（ｆａｔｔｙ  ａｃｉｄ  ｅｓｔｅｒｓ）、アルカノールアミド（ａｌｋａｎｏｌ  ａｍｉｄｓ）、アミンオキシド（ａｍｉｎ  ｏｘｉｄｅｓ）、アンモニウム塩（ａｍｍｏｎｉｕｍ  ｓａｌｔｓ）、アルキルベタイン（ａｌｋｙｌ  ｂｅｔａｉｎｅ）、イミダゾリウムベタイン（ｉｍｉｄａｚｏｌｉｕｍ  ｂｅｔａｉｎｅ）、パールリングエージェント（ｐｅａｒｌｉｎｇ  ａｇｅｎｔｓ）などが本発明のような合成洗剤に使用され得る。
【００９０】
これらの界面活性剤は、台所洗剤、シャンプー、ボディーウォッシュ、洗濯用洗剤、繊維柔軟剤、動物用シャンプー、ウォッシュ又はリンスなどに使用可能であり、上述した合成洗剤のうち、酸性を有する界面活性剤が使用されてもよい。
【００９１】
これを中性に合わせる役割及びビルダーの役割をするものとして、キッチン用洗剤には、図８に示すように、水酸化ナトリウムが多く使用されるが、本発明では、上述した酸性界面活性剤及び水酸化ナトリウムの使用量も減少させたり、これらを使用しないように構成することができる。
【００９２】
上述した界面活性剤は、本発明に適した液体の合成洗剤を製造するのに必須的に使用されるものであって、その他に、グリセリン、香料、皮膚保護のための抽出物、エタノール、天然オイル、水又はその他の物質のうち、液体合成洗剤の用途に応じて選択的に使用可能である。
【００９３】
本発明の合成洗剤は、キッチン用、ボディーシャンプー用、ヘアシャンプー用、洗顔用、クレンジング用、繊維柔軟用、洗濯用、食器洗い用、掃除用又はペットシャンプー用洗剤であり得る。また、これらの合成洗剤のうち一つ以上に不織布ティッシュが濡らされるようになる。
【００９４】
このように、不織布ティッシュは、合成洗剤に濡らされて複数包装又は個包装になり得る。また、多目的ティッシュに適用するために、上述した洗剤のうち一つ以上の洗剤を使用して不織布ティッシュを濡らすことができる。
【００９５】
本発明に係る凹凸を有するポリオレフィンスパンボンド不織布、メルトブローン不織布、スパンボンド及びメルトブローンが多層をなした不織布は、洗剤に濡らされた後で乾燥され得る。このとき、液体の合成洗剤に濡らされた不織布は、１０％〜１００％の乾燥率を達成するように乾燥され得る。
【００９６】
併せて、ポリオレフィン不織布は、他の不織布に比べて保湿性が少ないので乾燥させやすく、熱風チャンバー又は熱ローラーを用いた方法又はその他の方法で乾燥させることができる。
【００９７】
このように乾燥された不織布ティッシュは、使用時に水と共に使用されるものであって、乾燥前の不織布ティッシュと同一の使用結果を得られるようになり、不織布ティッシュの乾燥による包装の便利さを確保できるようになる。
【００９８】
但し、１００％の乾燥率を達成するように乾燥された不織布ティッシュは、洗剤の多くの含量を必要とする繊維柔軟用や洗濯用などでは適切でない場合もあり、皮膚に直接接触する道具などの用途としては使用可能であり、これは、本発明に係る洗剤を含有した不織布ティッシュの場合、洗剤がなくてもある程度の洗浄力を有しているためである。
【００９９】
そして、本発明の目的である優れたグリップ感を有する不織布ティッシュを製造するためには、製造過程で不織布の秤量も重要な要素として作用するが、本発明での不織布１としては、その用途に応じて１０ｇ／ｍ２〜１５０ｇ／ｍ２のうち一つに秤量したものが使用可能である。
【実施例１】
【０１００】
３８ｇ／ｍ２のポリプロピレンスパンボンド不織布を、両方向間隔が２ｍｍで、ピンの胴体部分の長さが１．９ｍｍである穿孔ピンで穿孔して準備した。台所洗剤液１００重量部当たりに市販されるキッチン用洗剤（界面活性剤含量１２％）４０重量部、中性界面活性剤（ｓｏｄｉｕｍ  ｌａｕｒｅｔｈ  ｓｕｌｆａｔｅ）８重量部及び水５２重量部を混合することによって台所洗剤液を製造した。
【０１０１】
そして、不織布を広げたとき、横２１ｃｍ及び縦２８ｃｍである不織布を、図１１に示すように、横１０ｃｍ及び縦１４ｃｍに折って切断し、切断された不織布を４０枚積層して包装袋に入れた後、包装袋内にキッチン用洗剤希釈液を３５０ｇ注いで吸着させた後、包装袋をシーリング・包装し、図１０に示すように、合成洗剤液が吸着した不織布ティッシュを製造した。
【実施例２】
【０１０２】
表面がエンボス形状に形成される４０ｇ／ｍ２のポリプロピレンスパンボンド不織布ティッシュを使用したことを除いては、実施例１と同一の成分、含量、サイズ及び工程で不織布ティッシュを製造した。
【実施例３】
【０１０３】
ポリプロピレン原糸が１００％含まれた４０ｇ／ｍ２のサーマルボンド不織布ティッシュを使用したことを除いては、実施例１と同一の成分、含量、サイズ及び工程で不織布ティッシュを製造した。
【実施例４】
【０１０４】
ポリプロピレンスパンボンド不織布の表面にパルプがコーティングされた６０ｇ／ｍ２の不織布ティッシュを使用したことを除いては、実施例１と同一の成分、含量、サイズ及び工程で不織布ティッシュを製造した。
【実施例５】
【０１０５】
市販されるヘアシャンプーと水とを１：１の重量比率で混ぜて希釈させ、これにポリプロピレン不織布の生地を濡らしたことを除いては、実施例１と同一の成分、含量、サイズ及び工程で不織布ティッシュを製造した。
【実施例６】
【０１０６】
市販されるボディークレンザーと水とを１：１の重量比率で混ぜて希釈させ、これにポリプロピレン不織布の生地を濡らしたことを除いては、実施例１と同一の成分、含量、サイズ及び工程で不織布ティッシュを製造した。
【実施例７】
【０１０７】
洗濯洗剤液１００重量部当たりに市販される洗濯洗剤７０重量部及び水３０重量部を混合することによって洗濯洗剤液を製造し、これにポリプロピレン不織布の生地を濡らしたことを除いては、実施例１と同一の成分、含量、サイズ及び工程で不織布ティッシュを製造した。
【実施例８】
【０１０８】
化粧品クレンジング洗剤液１００重量部当たりに市販される化粧品クレンジングフォーム２０重量部、ラウリル硫酸アンモニウム（Ａｍｍｏｎｉｕｍ  ｌａｕｒｙｌ  ｓｕｌｆａｔｅ）２０重量部及び水６０重量部を混合することによって化粧品クレンジング洗剤液を製造し、これにポリプロピレン不織布の生地を濡らしたことを除いては、実施例１と同一の成分、含量、サイズ及び工程で不織布ティッシュを製造した。
【実施例９】
【０１０９】
ボディーシャンプー液１００重量部当たりに市販されるボディーシャンプー５０重量部、コカミドプロピルベタイン（Ｃｏｃａｍｉｄｏ  ｐｒｏｐｙｌ  ｂｅｔａｉｎｅ）１重量部、ラウリル硫酸アンモニウム（Ａｍｍｏｎｉｕｍ  ｌａｕｒｙｌ  ｓｕｌｆａｔｅ）２０重量部及び水２９重量部を混合することによってボディーシャンプー液を製造したことを除いては、実施例１と同一のサイズ及び工程でボディーシャンプー用不織布ティッシュを製造した。
【実施例１０】
【０１１０】
キッチン用洗剤液１００重量部当たりにラウレス硫酸ナトリウム（ｓｏｄｉｕｍ  ｌａｕｒｅｔｈ  ｓｕｌｆａｔｅ）（中性界面活性剤）１５重量部及び水８５重量部を使用してキッチン用洗剤を製造したことを除いては、実施例１と同一に実施した。
【実施例１１】
【０１１１】
キッチン用洗剤液１００重量部当たりにラウレス硫酸ナトリウム（ｓｏｄｉｕｍ  ｌａｕｒｅｔｈ  ｓｕｌｆａｔｅ）１５重量部及び水８５重量部を使用してキッチン用洗剤を製造したことを除いては、実施例２と同一に実施した。
【実施例１２】
【０１１２】
ボディーシャンプー液１００重量部当たりにラウリル硫酸アンモニウム（Ａｍｍｏｎｉｕｍ  ｌａｕｒｙｌ  ｓｕｌｆａｔｅ）６５重量部（中性界面活性剤）、グリセリン４重量部、エタノール１重量部、石榴抽出物２重量部、ペパーミント香料０．２重量部及び水２７．８重量部を混合することによってボディーシャンプー液を製造した。
【０１１３】
実施例１と同一の不織布を横２１ｃｍ及び縦９０ｃｍに切断して折った後、不織布一枚を袋に入れた後、製造されたボディーシャンプー液１５ｇを袋に入れ、この袋をシーリングして包装し、これを繰り返して個包装になった不織布ティッシュを製造した。
【０１１４】
［実験例１］
実施例１〜実施例４、実施例１０、実施例１１で製造された不織布ティッシュで、図９に示すように、イシモチを焼いたフライパンを拭き取った結果、不織布ティッシュに油分が多量吸収されると同時に、フライパンもきれいに洗浄されたことを確認することができた。
【０１１５】
そして、通常のスポンジからなる束子より多くの泡を形成することを確認することができ、実施例１０及び実施例１１の場合、図８に示すように、一般的なキッチン用洗剤に添加される増粘剤及び水酸化ナトリウム（ビルダー）などが添加されていないにもかかわらず、ほぼ類似する洗浄力を有していることを確認することができた。
【０１１６】
［実験例２］
実施例５で製造された不織布ティッシュで毛髪を洗浄した結果、毛髪及び頭皮が非常にきれいに洗浄されることを確認することができ、手に直接シャンプーをつけて毛髪を洗浄する場合より多くの泡が発生することも確認された。
【０１１７】
［実験例３］
実施例６、実施例９、実施例１２で製造された不織布ティッシュで体を洗浄した結果、皮膚が非常にきれいに洗浄されることを確認することができ、市販されるシャワー用タオルより多くの泡が発生することも確認された。
【０１１８】
また、実施例１２の場合、一般的なボディーシャンプー洗剤に入る増粘剤、ビルダー、泡形成剤などが含まれていないにもかかわらず、ほぼ類似する洗浄力を有することを確認することができた。
【０１１９】
［実験例４］
実施例７で製造された不織布ティッシュで洗濯機によって洗濯した結果、洗濯がうまく行われたことを確認した。
【０１２０】
［実験例５］
実施例１で製造された不織布ティッシュ２枚を洗濯機内に入れて洗濯物と共に洗濯した結果、洗濯物が非常に柔軟になったことを確認することができ、これを通じて、繊維柔軟用不織布ティッシュとしても活用可能であることを確認した。
【０１２１】
［実験例６］
実施例７で顔に化粧品をクレンジングした結果、化粧品洗浄がうまく行われたことを確認した。
【０１２２】
［実験例７］
６．８ｇ（２１ｃｍ＊２８ｃｍ、３枚）の親水化処理されていない穿孔ポリプロピレン不織布を、界面活性剤が水に１５％希釈された液に１０秒濡らし、この液を約３秒程度払い落とした後で重さを測定し、これを３回繰り返して水の吸収量を測定した結果、平均約５５ｇの上述した界面活性剤希釈液を吸収したことを確認することができた。
【０１２３】
［実験例８］
実験例７で界面活性剤１５％の液の代わりに、ベーキングソーダ１０％の水溶液及び水を使用したことを除いては実験例７と同一に試験し、その結果、不織布ティッシュにはベーキングソーダ１０％の液及び水が全く吸収されておらず、表面に約４ｇ〜６ｇ程度のベーキングソーダ１０％の液及び水が付いていたことを確認した。
【０１２４】
[実験例９]
実施例１で製造された個包装のティッシュを、乾燥率５０％及び１００％を達成するように通常のヘアドライヤーで乾燥させ、乾燥した２枚のティッシュを実験例１と同一に実験した結果、実験例１と同一の結果を得ることができた。
【０１２５】
本発明における前記実施形態は一つの例示であって、本発明がこれに限定されることはない。本発明の特許請求の範囲に記載の技術的思想と実質的に同一の構成を有し、同一の作用効果を達成するものであればいずれも本発明の技術的範囲に含まれる。
【図１】
2019529004.tif 000003
【図２】
2019529004.tif 000004
【図３】
2019529004.tif 000005
【図４（ａ）】
2019529004.tif 000006
【図４（ｂ）】
2019529004.tif 000007
【図５】
2019529004.tif 000008
【図６】
2019529004.tif 000009
【図７（ａ）】
2019529004.tif 000010
【図７（ｂ）】
2019529004.tif 000011
【図８】
2019529004.tif 000012
【図９】
2019529004.tif 000013
【図１０】
2019529004.tif 000014
【図１１】
2019529004.tif 000015
【図１２】
2019529004.tif 000016
【国際調査報告】
2019529004.tif 000017
2019529004.tif 000018
2019529004.tif 000019
2019529004.tif 000020